(57)【要約】【課題】統一することなく複数の店舗間で別個に付与されて用いられているインストアコードが示す各商品の同一性を容易に確認する。【解決手段】コード管理サーバ１０が、商品が生産あるいは製造されたときに当該商品に付与される商品識別コード（ＪＡＮコード）と、その商品識別コードが示す商品に各小売チェーンにおいて付与されているインストアコードと、そのインストアコードの適用期間とを含むコード管理情報を格納するコード管理ＤＢ１１を備え、検索対象の商品に付与されている商品識別コードの指定と、検索する日付範囲の指定とを受け付け、受け付けた商品識別コードのうち受け付けた日付範囲の少なくとも一部を含む適用期間が対応付けされている商品識別コードを含むコード管理情報を、コード管理ＤＢ１１を参照して検索し、検索したコード管理情報を抽出して出力する。【選択図】図７
2008186415.tif 000002
【特許請求の範囲】
【請求項１】
各小売チェーンにおいてそれぞれ別個にインストアコードが付与されている商品のうち同一の商品を特定するためにコード管理を行うコード管理サーバであって、
商品が生産あるいは製造されたときに当該商品に付与される商品識別コードと、該商品識別コードが示す商品に各小売チェーンにおいて付与されているインストアコードと、該インストアコードの適用期間とを含むコード管理情報を格納するコード管理ＤＢと、
検索対象の商品に付与されている商品識別コードの指定を受け付ける商品識別コード受付手段と、
検索する日付範囲の指定を受け付ける日付範囲受付手段と、
該商品識別コード受付手段が受け付けた商品識別コードのうち前記日付範囲受付手段が受け付けた日付範囲の少なくとも一部を含む前記適用期間が対応付けされている商品識別コードを含むコード管理情報を、前記コード管理ＤＢを参照して検索し、検索したコード管理情報の一部または全部を抽出するコード管理情報検索抽出手段と、
該コード管理情報検索抽出手段が抽出したコード管理情報の一部または全部を出力するコード管理情報出力手段とを含む
ことを特徴とするコード管理サーバ。
【請求項２】
コード管理情報出力手段は、前記商品識別コード受付手段が受け付けた商品識別コードが示す商品について、前記日付範囲受付手段が受け付けた日付範囲内に使用されていたインストアコードと、該インストアコードを使用していた小売チェーン名とを出力するとともに、前記日付範囲受付手段が受け付けた日付範囲の一部で使用されていたインストアコードの当該日付範囲内における適用期間を出力する
請求項１記載のコード管理サーバ。
【請求項３】
商品を生産あるいは製造したメーカによって当該商品に付与された商品識別コードを含むメーカ管理情報を取得するメーカ管理情報取得手段と、
該メーカ管理情報取得手段が取得したメーカ管理情報を前記コード管理ＤＢに登録するメーカ管理情報登録手段とを含む
請求項１または請求項２記載のコード管理サーバ。
【請求項４】
各小売チェーンにおいて管理される各小売チェーンサーバから、インストアコードと該インストアコードが付与されている商品の商品カルテ番号とを含む小売店情報を取得する小売店情報取得手段と、
商品カルテを管理する商品マスタサーバから前記小売店情報取得手段が取得した商品カルテ番号が示す商品の商品カルテに登録されている商品識別コードを取得する商品カルテ情報取得手段と、
前記コード管理ＤＢに登録されている商品識別コードのうち商品カルテ取得手段が取得した商品識別コードに対応付けして、前記小売店情報取得手段が取得したインストアコードを登録するインストアコード登録手段とを含む
請求項３記載のコード管理サーバ。
【請求項５】
前記コード管理ＤＢに登録されている商品識別コードのうち商品カルテ取得手段が取得した商品識別コードに対応付けして、インストアコードの適用期間を登録あるいは更新する適用期間設定手段を含む
請求項４記載のコード管理サーバ。
【請求項６】
コード管理情報は、インストアコードを付与している小売チェーンを示す小売チェーン名を含む
請求項１から請求項５のうちいずれかに記載のコード管理サーバ。
【請求項７】
コード管理情報は、商品識別コードが付与されている商品の商品名を含む
請求項１から請求項６のうちいずれかに記載のコード管理サーバ。
【請求項８】
各小売チェーンにおいてそれぞれ別個にインストアコードが付与されている商品のうち同一の商品を特定するためにコード管理を行うコード管理方法であって、
検索対象の商品に付与されている商品識別コードの指定を受け付ける商品識別コード受付処理と、
検索する日付範囲の指定を受け付ける日付範囲受付処理と、
前記商品識別コード受付処理にて受け付けた商品識別コードのうち前記日付範囲受付処理にて受け付けた日付範囲の少なくとも一部を含む前記適用期間が対応付けされている商品識別コードを含むコード管理情報を、商品が生産あるいは製造されたときに当該商品に付与される商品識別コードと、該商品識別コードが示す商品に各小売チェーンにおいて付与されているインストアコードと、該インストアコードの適用期間とを含むコード管理情報を格納するコード管理ＤＢを参照して検索し、検索したコード管理情報の一部または全部を抽出するコード管理情報検索抽出処理と、
該コード管理情報検索抽出処理にて抽出したコード管理情報の一部または全部を出力するコード管理情報出力処理とを含む
ことを特徴とするコード管理方法。
【請求項９】
コード管理情報出力処理では、前記商品識別コード受付処理にて受け付けた商品識別コードが示す商品について、前記日付範囲受付処理にて受け付けた日付範囲内に使用されていたインストアコードと、該インストアコードを使用していた小売チェーン名とを出力するとともに、前記日付範囲受付処理にて受け付けた日付範囲の一部で使用されていたインストアコードの当該日付範囲内における適用期間を出力する
請求項８記載のコード管理方法。
【請求項１０】
商品を生産あるいは製造したメーカによって当該商品に付与された商品識別コードを含むメーカ管理情報を取得するメーカ管理情報取得処理と、
該メーカ管理情報取得処理にて取得したメーカ管理情報を前記コード管理ＤＢに登録するメーカ管理情報登録処理とを含む
請求項８または請求項９記載のコード管理方法。
【請求項１１】
各小売チェーンにおいて管理される各小売チェーンサーバから、インストアコードと該インストアコードが付与されている商品の商品カルテ番号とを含む小売店情報を取得する小売店情報取得処理と、
商品カルテを管理する商品マスタサーバから前記小売店情報取得処理にて取得した商品カルテ番号が示す商品の商品カルテに登録されている商品識別コードを取得する商品カルテ情報取得処理と、
前記コード管理ＤＢに登録されている商品識別コードのうち商品カルテ取得処理にて取得した商品識別コードに対応付けして、前記小売店情報取得処理にて取得したインストアコードを登録するインストアコード登録処理とを含む
請求項１０記載のコード管理方法。
【請求項１２】
前記コード管理ＤＢに登録されている商品識別コードのうち商品カルテ取得処理にて取得した商品識別コードに対応付けして、インストアコードの適用期間を登録あるいは更新する適用期間設定処理を含む
請求項１１記載のコード管理方法。
【請求項１３】
コード管理情報は、インストアコードを付与している小売チェーンを示す小売チェーン名を含む
請求項８から請求項１２のうちいずれかに記載のコード管理方法。
【請求項１４】
コード管理情報は、商品識別コードが付与されている商品の商品名を含む
請求項８から請求項１３のうちいずれかに記載のコード管理方法。
【請求項１５】
前記コード管理情報は、インストアコードに替えて、あるいは該インストアコードとともに、前記商品識別コードが示す商品に各小売チェーンにおいて付与される図形コードを含む
請求項８から請求項１４のうちいずれかに記載のコード管理方法。
【発明の詳細な説明】
【技術分野】
【０００１】
本発明は、各小売チェーンにおいてそれぞれ別個にインストアコードが付与されている商品のうち同一の商品を特定するためにコード管理を行うコード管理サーバ、及びコード管理方法に関する。
【背景技術】
【０００２】
従来から、スーパーマーケット等の店舗において、購入が希望された商品に付されているバーコード等のＰＯＳコードを読み取ることで、商品単位の販売状況を把握するための情報の収集等を行うＰＯＳシステムが広く用いられている（例えば、特許文献１−２参照）。
【０００３】
【特許文献１】特開２００５−１６５６２９号公報
【特許文献２】特開２００５−２２８０２１号公報
【発明の開示】
【発明が解決しようとする課題】
【０００４】
しかしながら、上述した従来のＰＯＳシステムでは、ＰＯＳコードによって得られる情報は各店舗独自のインストアコードとされている。チェーンストアでは、一般にＪＡＮ（ＥＡＮ）コードと呼ばれる国際標準コードの形式が使用されているが、登録されている対応商品がバラバラのインストアコードが使用されているので、各チェーンストアで販売されている商品の同一性を判断することができず、例えばある商品の販売状況などを円滑にまとめることができないという問題があった。
【０００５】
なお、強制的にインストアコードを統一したＰＯＳシステムを構築することが考えられるが、そのようなＰＯＳシステムを構築するには膨大なコストと時間が必要となり、経済的な無駄が多く発生してしまう。
【０００６】
本発明は、上述した問題を解消し、統一することなく複数の店舗間で別個に付与されて用いられているインストアコードが示す各商品の同一性を容易に確認することができるようにすることを目的とする。
【課題を解決するための手段】
【０００７】
本発明のコード管理サーバは、各小売チェーンにおいてそれぞれ別個にインストアコードが付与されている商品のうち同一の商品を特定するためにコード管理を行うコード管理サーバであって、商品が生産あるいは製造されたときに当該商品に付与される商品識別コードと、該商品識別コードが示す商品に各小売チェーンにおいて付与されているインストアコードと、該インストアコードの適用期間とを含むコード管理情報を格納するコード管理ＤＢと、検索対象の商品に付与されている商品識別コードの指定を受け付ける商品識別コード受付手段と、検索する日付範囲の指定を受け付ける日付範囲受付手段と、該商品識別コード受付手段が受け付けた商品識別コードのうち前記日付範囲受付手段が受け付けた日付範囲の少なくとも一部を含む前記適用期間が対応付けされている商品識別コードを含むコード管理情報を、前記コード管理ＤＢを参照して検索し、検索したコード管理情報の一部または全部を抽出するコード管理情報検索抽出手段と、該コード管理情報検索抽出手段が抽出したコード管理情報の一部または全部を出力するコード管理情報出力手段とを含むことを特徴とする。
【０００８】
上記のように構成したことで、統一することなく複数の店舗間で別個に付与されて用いられているインストアコードが示す各商品の同一性を容易に確認することができるようになる。よって、複数の店舗間における販売状況等を円滑に集計することが可能となる。
【０００９】
コード管理情報出力手段は、例えば、前記商品識別コード受付手段が受け付けた商品識別コードが示す商品について、前記日付範囲受付手段が受け付けた日付範囲内に使用されていたインストアコードと、該インストアコードを使用していた小売チェーン名とを出力するとともに、前記日付範囲受付手段が受け付けた日付範囲の一部で使用されていたインストアコードの当該日付範囲内における適用期間を出力する。
【００１０】
商品を生産あるいは製造したメーカによって当該商品に付与された商品識別コードを含むメーカ管理情報を取得するメーカ管理情報取得手段と、該メーカ管理情報取得手段が取得したメーカ管理情報を前記コード管理ＤＢに登録するメーカ管理情報登録手段とを含む構成とされていてもよい。
【００１１】
各小売チェーンにおいて管理される各小売チェーンサーバから、インストアコードと該インストアコードが付与されている商品の商品カルテ番号とを含む小売店情報を取得する小売店情報取得手段と、商品カルテを管理する商品マスタサーバから前記小売店情報取得手段が取得した商品カルテ番号が示す商品の商品カルテに登録されている商品識別コードを取得する商品カルテ情報取得手段と、前記コード管理ＤＢに登録されている商品識別コードのうち商品カルテ取得手段が取得した商品識別コードに対応付けして、前記小売店情報取得手段が取得したインストアコードを登録するインストアコード登録手段とを含む構成とされていてもよい。
【００１２】
前記コード管理ＤＢに登録されている商品識別コードのうち商品カルテ取得手段が取得した商品識別コードに対応付けして、インストアコードの適用期間を登録あるいは更新する適用期間設定手段を含む構成とされていてもよい。
【００１３】
コード管理情報は、更にインストアコードを付与している小売チェーンを示す小売チェーン名を含むものであってもよい。また、コード管理情報は、更に商品識別コードが付与されている商品の商品名を含むものであってもよい。
【００１４】
また、本発明のコード管理方法は、各小売チェーンにおいてそれぞれ別個にインストアコードが付与されている商品のうち同一の商品を特定するためにコード管理を行うコード管理方法であって、検索対象の商品に付与されている商品識別コードの指定を受け付ける商品識別コード受付処理と、検索する日付範囲の指定を受け付ける日付範囲受付処理と、前記商品識別コード受付処理にて受け付けた商品識別コードのうち前記日付範囲受付処理にて受け付けた日付範囲の少なくとも一部を含む前記適用期間が対応付けされている商品識別コードを含むコード管理情報を、商品が生産あるいは製造されたときに当該商品に付与される商品識別コードと、該商品識別コードが示す商品に各小売チェーンにおいて付与されているインストアコードと、該インストアコードの適用期間とを含むコード管理情報を格納するコード管理ＤＢを参照して検索し、検索したコード管理情報の一部または全部を抽出するコード管理情報検索抽出処理と、該コード管理情報検索抽出処理にて抽出したコード管理情報の一部または全部を出力するコード管理情報出力処理とを含むことを特徴とする。
【発明の効果】
【００１５】
本発明によれば、統一することなく複数の店舗間で別個に付与されて用いられているインストアコードが示す各商品の同一性を容易に確認することができるようになる。
【発明を実施するための最良の形態】
【００１６】
以下、本発明の一実施の形態について図面を参照して説明する。
図１は、本発明の一実施の形態に係るコード管理システム１００の構成の例を示すブロック図である。図１に示すように、コード管理システム１００は、コード管理サーバ１０と、商品マスタサーバ２０と、小売店サーバ３１〜３Ｎ（Ｎ：任意の正の整数）とを含む。コード管理サーバ１０、商品マスタサーバ２０、および小売店サーバ３１〜３Ｎは、それぞれ、例えばインターネットなどの通信ネットワーク４０に接続されている。
【００１７】
コード管理サーバ１０、商品マスタサーバ２０、および小売店サーバ３１〜３Ｎは、それぞれ、ＷＷＷサーバなどの情報処理装置によって構成される。
【００１８】
コード管理サーバ１０は、例えばコード管理システム１００のシステム管理者によって管理されるサーバであり、商品が生産あるいは製造されたときにその商品に付与される商品識別コード（例えばＪＡＮコード）や各小売店にて使用されているインストアコードの管理を行うものである。
【００１９】
コード管理サーバ１０は、コード管理情報が格納されるコード管理ＤＢ１１と、メーカ生産管理情報が格納されるメーカ生産管理ＤＢ１２とを備えている。コード管理情報は、商品識別コードと各小売店にて使用されているインストアコードとの関係を管理するための情報である。メーカ生産管理情報は、商品が生産あるいは製造されたときにメーカ側によってその商品に付与された商品識別コードと、その商品識別コードが示す商品の商品名と、その商品を生産あるいは製造したメーカ名とを含む。なお、コード管理ＤＢ１１と、メーカ生産管理ＤＢ１２とは、コード管理サーバ１０の内部にあっても外部にあってもよい。また、メーカ生産管理情報は、例えば、各メーカが管理するメーカ端末（図示せず）から、例えば定期的にコード管理サーバ１０に通信ネットワークを介して送信され、メーカ生産管理ＤＢ１２に蓄積される。
【００２０】
商品マスタサーバ２０は、商品の生産履歴や流通履歴を含む商品履歴情報などのその商品に関わる各種の情報を含む商品マスタが格納される商品マスタＤＢ２１を備えている。商品マスタは、商品を一意に特定するための商品マスタ番号と、その商品に付与されている商品識別コードとを含む。なお、商品マスタＤＢ２１は、商品マスタサーバ２０の内部にあっても外部にあってもよい。
【００２１】
小売店サーバ３１〜３Ｎは、それぞれ、例えば各小売チェーンＡ〜Ｘを管理する小売チェーン管理者によって管理され、各小売チェーンＡ〜Ｘにて使用されるＰＯＳ情報を格納する小売チェーン商品マスタＤＢ３１ａ〜３Ｎａを備えている。小売店サーバ３１〜３Ｎは、それぞれ、例えば各小売チェーンＡ〜Ｘ内に設置される。小売店サーバ３１〜３Ｎには、図示はしないが、各小売チェーンＡ〜Ｘ内で用いられるＰＯＳレジスタ（購入金額支払所に設置されているレジスタであって、例えば商品に付されたＰＯＳシステム用のバーコード（ＰＯＳコードの一例：以下、ＰＯＳ用バーコードという。）を読み取り、ＰＯＳ用バーコードにもとづいて特定される商品名や商品価格を用いて購入内容をレシートへ印字する機能などの各種の機能を有する。）や、小売店サーバ３１〜３Ｎの処理前にＰＯＳデータイントラ処理を行うコンピュータなどが接続されている。
【００２２】
図２は、小売チェーンＡに設置されている小売店サーバ３１が備える小売チェーン商品マスタＤＢ３１ａに格納されるＰＯＳ情報の例を示す説明図である。図２に示すように、ＰＯＳ情報は、商品名と、インストアコードと、商品カルテ番号と、商品の値段とを含む。インストアコードは、ＪＡＮ形式などの特定の標準形式であってもよいし、店舗独自の形式をもったものであってもよい。インストアコードは、該当する小売チェーンＡ内のＰＯＳシステムにおいて所定の商品に対応付けて現在使用されているＰＯＳコードである。
【００２３】
図２に示すように、商品名としては、缶詰Ａ、調味料Ａなどの商品の名称及び／又はサプライヤー名（メーカー名）が設定される。また、値段には、個数や重さ毎の販売単位の値段が設定される。
【００２４】
ＰＯＳ情報は、各小売店サーバ３１〜３Ｎが備える各小売チェーン商品マスタＤＢ３１ａ〜３Ｎａにそれぞれ格納されている。また、ＰＯＳ情報は、各店舗に採用されているＰＯＳシステムによって、同じ商品であっても異なるインストアコードが設定される場合がある。
【００２５】
図３は、コード管理ＤＢ１１に格納されるコード管理情報の例を示す説明図である。図３に示すように、コード管理情報は、商品名と、ＪＡＮコード（本例では「商品識別コード」を意味する）と、小売チェーン名と、インストアコードと、適用期間とが対応付けされた情報である。適用期間は、該当するインストアコードがある商品に適用されている期間を意味し、現在も適用されている場合には期間終了日が確定できないため「使用継続中（適用中）」が設定される。なお、適用期間は、日単位でなく、月、週、時間、分、秒単位で管理するようにしてもよい。
【００２６】
次に、本例のコード管理システム１００の動作について説明する。
図４は、本例のコード管理システム１００におけるコード管理サーバ１０が実行するコード管理情報登録処理の例を示すフローチャートである。コード管理情報登録処理は、例えば、コード管理サーバ１０のオペレータにより指示があったとき、あるいは定期的（例えば１日１回早朝あるいは深夜など）に実行される。
【００２７】
コード管理情報登録処理において、先ず、コード管理サーバ１０は、メーカ生産管理ＤＢ１２に格納されているメーカ生産管理情報のうち、新規に登録（前回取得したとき以降の登録）されていたメーカ生産管理情報を読み出す（ステップＳ１０１）。
【００２８】
次いで、コード管理サーバ１０は、取得したメーカ生産管理情報に含まれている商品名とＪＡＮコードとをコード管理ＤＢ１１に格納されているコード管理情報の該当項目に新たに登録する（ステップＳ１０２）。
【００２９】
次に、コード管理サーバ１０は、各小売店サーバ３１〜３Ｎから、新規に登録（前回取得したとき以降の登録）されたＰＯＳ情報と、登録が抹消されたＰＯＳ情報とを取得する（ステップＳ１０３）。なお、ステップＳ１０３では、ＰＯＳ情報のうち、商品カルテ番号とインストアコードだけを取得するようにしてもよい。また、本例では、ステップＳ１０３にて、ＰＯＳ情報の登録日や登録抹消日をも取得する。
【００３０】
次いで、コード管理サーバ１０は、ステップＳ１０３にて取得したＰＯＳ情報に含まれている商品カルテ番号を提示して、商品マスタサーバ２０に対して提示した商品カルテ番号に対応するＪＡＮコードの確認依頼を行い、商品マスタサーバ２０からステップＳ１０３にて取得したＰＯＳ情報が示す商品カルテ番号に対応付けされているＪＡＮコードを取得する（ステップＳ１０４）。
【００３１】
そして、コード管理サーバ１０は、新規登録の場合には、ステップＳ１０４にて取得したＪＡＮコードに対応付けして、ステップＳ１０３にて取得したＰＯＳ情報に含まれているインストアコードを登録するとともに、適用期間の始期を登録する（ステップＳ１０５）。また、コード管理サーバ１０は、終期登録の場合には、ステップＳ１０４にて取得したＪＡＮコードとステップＳ１０３にて取得したＰＯＳ情報に含まれているインストアコードとに対応付けして、適用期間の終期を登録する（ステップＳ１０５）。
【００３２】
図５は、本例のコード管理システム１００におけるコード管理サーバ１０が実行する商品検索処理の例を示すフローチャートである。ここでは、コード管理サーバ１０のオペレータにより指定されたＪＡＮコードが付与されている商品であって、各小売チェーンで別個のインストアコードが付与されて販売されている商品が検索される場合を例に説明する。
【００３３】
商品検索処理において、コード管理サーバ１０は、自己が備える入力装置の操作によりオペレータにより入力されたＪＡＮコードを受け付ける（ステップＳ２０１）。また、コード管理サーバ１０は、自己が備える入力装置の操作によりオペレータにより入力された検索対象日付（例えば２００６年１０月１５日）を受け付ける（ステップＳ２０２）。
【００３４】
次に、コード管理サーバ１０は、コード管理ＤＢ１１を参照して、ステップＳ２０１にて受け付けたＪＡＮコードに対応付けされ、ステップＳ２０２にて受け付けた日付が適用期間中に含まれているコード管理情報を検索し、抽出する（ステップＳ２０３）。
【００３５】
そして、コード管理サーバ１０は、自己が備える表示装置の表示画面上に、検索結果画面を表示する（ステップＳ２０４）。検索結果画面は、例えば図６に示すように、検索条件を表示する検索条件表示領域２０１と、検索結果を表示する検索結果表示領域２０２とが設けられている。
【００３６】
図６には、検索条件としてＪＡＮコード「０００１２３」及び日付「２００６年１０月１５日」が指定された場合の検索結果の例が示されている。図６に示すように、検索結果として、ＪＡＮコード「０００１２３」が示す商品が商品名「缶詰Ａ」であり、指定された日「１０月１５日」においては、５つの小売チェーンＡ，Ｂ，Ｄ，Ｆ，Ｈにおいて、それぞれ別個のインストアコードが使用されていたことが示されている。この検索結果によって、商品名「缶詰Ａ」の商品は、２００６年１０月１５日において、各小売チェーンＡ，Ｂ，Ｄ，Ｆ，Ｈで、領域２０２に表示されたインストアコードが適用されて販売されていたことを確認することができる。
【００３７】
なお、上記の例では、ステップＳ２０２にて日付を受け付けることとしていたが、例えば図６に示すように、検索対象の日付の範囲を受け付けるようにしてもよい。この場合、コード管理サーバ１０は、コード管理ＤＢ１１を参照して、ステップＳ２０１にて受け付けたＪＡＮコードに対応付けされ、ステップＳ２０２にて受け付けた日付範囲が適用期間中に含まれているコード管理情報を検索し、抽出する（ステップＳ２０５）。そして、検索結果画面は、例えば図７に示すようになる。
【００３８】
図７には、検索条件としてＪＡＮコード「０００１２３」及び日付範囲「２００６年１０月１５日〜１８日」が指定された場合の検索結果の例が示されている。図７に示すように、検索結果として、ＪＡＮコード「０００１２３」が示す商品が商品名「缶詰Ａ」であり、小売チェーンＡでは１５日と１６日〜１８日とで別個のインストアコードが適用されていて、その他の４つの小売チェーンＢ，Ｄ，Ｆ，Ｈでは指定された期間中はそれぞれ同一のインストアコードが使用されていたことが示されている。この検索結果によって、商品名「缶詰Ａ」の商品は、２００６年１０月１５日〜１８日において、各小売チェーンＡ，Ｂ，Ｄ，Ｆ，Ｈで、領域２０２に表示されたインストアコードが適用されて販売されていたことを確認することができる。
【００３９】
なお、上記の例では、コード管理情報の一部を抽出して検索結果画面に表示することとしていたが、コード管理情報の全部を抽出して検索結果画面に表示するようにしてもよい。また、上記の例では、検索結果画面を表示する構成としていたが、印刷することとしてもよく、音声により検索結果を出力することとしてもよい。
【００４０】
以上に説明したように、上述した一実施の形態では、コード管理サーバ１０が、商品が生産あるいは製造されたときに当該商品に付与される商品識別コード（ＪＡＮコード）と、その商品識別コードが示す商品に各小売チェーンにおいて付与されているインストアコードと、そのインストアコードの適用期間とを含むコード管理情報を格納するコード管理ＤＢ１１を備え、検索対象の商品に付与されている商品識別コードの指定と、検索する日付範囲の指定とを受け付け、受け付けた商品識別コードのうち受け付けた日付範囲の少なくとも一部を含む適用期間が対応付けされている商品識別コードを含むコード管理情報を、コード管理ＤＢ１１を参照して検索し、検索したコード管理情報の一部または全部を抽出し、抽出したコード管理情報の一部または全部を出力する構成としたので、統一することなく複数の店舗間で別個に付与されて用いられているインストアコードが示す各商品の同一性を容易に確認することができるようになる。よって、複数の店舗間における販売状況等を円滑に集計することが可能となる。
【００４１】
また、上述した実施の形態では、コード管理サーバ１０が、受け付けた商品識別コードのうち受け付けた日付範囲を含む適用期間が対応付けされている商品識別コードを含むコード管理情報を検索する構成としているので、指定された日付範囲内において、該当する商品識別コードが示す商品に適用されていたインストアコードを検索して抽出することができ、指定された日付範囲における各小売チェーンでの商品の同一性を容易に確認することができるようになる。すなわち、具体的には、例えば「指定された日付範囲において、商品識別コードが示す商品Ａが、小売チェーンＡ，Ｂ，Ｃにて販売されていた」といったことを容易に確認することができる。
【００４２】
また、上述した実施の形態では、コード管理サーバ１０が、受け付けた商品識別コードが示す商品について、受け付けた日付範囲内に使用されていたインストアコードと、そのインストアコードを使用していた小売チェーン名とを出力するとともに、受け付けた日付範囲の一部で使用されていたインストアコードの日付範囲内における適用期間を出力する構成としているので、指定された日付範囲内で該当する商品識別コードが示す商品に適用されていたインストアコードが変更されていた場合であっても、いずれの期間にいずれのインストアコードが適用されていたかを容易に確認することができる。
【００４３】
また、上述した実施の形態では、コード管理サーバ１０が、商品を生産あるいは製造したメーカによって当該商品に付与された商品識別コードを含むメーカ管理情報を取得し、取得したメーカ管理情報をコード管理ＤＢ１１に登録する構成としたので、新たに商品識別コードが付与されたときに、その新規の商品識別コードや商品名をコード管理ＤＢ１１に登録することができる。
【００４４】
また、上述した実施の形態では、コード管理サーバ１０が、各小売チェーンにおいて管理される各小売チェーンサーバ３１〜３Ｎから、インストアコードと該インストアコードが付与されている商品の商品カルテ番号とを含む小売店情報を取得し、取得した商品カルテ番号が示す商品の商品カルテに登録されている商品識別コードを、商品カルテを管理する商品マスタサーバ２０から取得し、コード管理ＤＢ１１に登録されている商品識別コードのうち取得した商品識別コードに対応付けして、取得したインストアコードを登録する構成としたので、各小売チェーンで新たにインストアコードが付与されたときや、インストアコードの適用商品が変更されたときに、コード管理ＤＢ１１のコード管理情報を適切に更新することが可能となる。
【００４５】
また、上述した実施の形態では、コード管理サーバ１０が、コード管理ＤＢ１１に登録されている商品識別コードのうち商品マスタサーバ２０から取得した商品識別コードに対応付けして、インストアコードの適用期間を登録あるいは更新する構成としているので、各小売チェーンで新たにインストアコードが付与されたときや、インストアコードの適用商品が変更されたときに、コード管理ＤＢ１１のコード管理情報における適用期間を適切に更新することが可能となる。
【００４６】
なお、上述した実施の形態では、インストアコードを使用する構成としていたが、コード管理情報が、インストアコードに替えて、あるいはインストアコードとともに、商品識別コードが示す商品に各小売チェーンにおいて付与される図形コードを含むこととされていてもよい。すなわち、インストアコードに替えて、あるいはインストアコードとともに、各小売チェーンにてプライベートに使用される図形コードを用いることとしてもよい。
【産業上の利用可能性】
【００４７】
本発明によれば、統一することなく複数の店舗間で別個に付与されて用いられているインストアコードが示す各商品の同一性を容易に確認するのに有用である。
【図面の簡単な説明】
【００４８】
【図１】本発明の一実施の形態に係るコード管理システムの構成の例を示すブロック図である。
【図２】ＰＯＳ情報の例を示す説明図である。
【図３】コード管理情報の例を示す説明図である。
【図４】コード管理情報登録処理の例を示すフローチャートである。
【図５】商品検索処理の例を示すフローチャートである。
【図６】検索結果画面の例を示す説明図である。
【図７】商品検索処理の例を示すフローチャートである。
【図８】検索結果画面の例を示す説明図である。
【符号の説明】
【００４９】
１０        コード管理サーバ
１１        コード管理ＤＢ
２０        商品マスタサーバ
３１〜３Ｎ  小売店サーバ
４０        通信ネットワーク
１００      コード管理システム
【図１】
2008186415.tif 000003
【図２】
2008186415.tif 000004
【図３】
2008186415.tif 000005
【図４】
2008186415.tif 000006
【図５】
2008186415.tif 000007
【図６】
2008186415.tif 000008
【図７】
2008186415.tif 000009
【図８】
2008186415.tif 000010